(57)【要約】【課題】仕切板９ａ、９ｂ、９ｃに付着し液滴化したオイルの流下を的確に行わせるなどして、オイルミストの捕集効率を向上させる。【解決手段】多数のスリットｇ１、ｇ２、ｇ３を形成された仕切板９ａ、９ｂ、９ｃを２枚以上前後方向へ一列状に配置し、該仕切板９ａ、９ｂ、９ｃ同士の間のそれぞれにフィルタエレメント１０ａ、１０ｂを配置したフィルタ集合体３を備えたオイルミスト捕集用フィルタにおいて、仕切板９ａ、９ｂ、９ｃごとに多数のスリットｇ１、ｇ２、ｇ３を左右方向へ単列状に配置すると共に、スリットｇ１、ｇ２、ｇ３のそれぞれを縦長となし、前記スリットがこれの形成された前記仕切板の長さ範囲内で形成されており、且つ、仕切板９ａ、９ｂ、９ｃのうち前後で隣接したもの同士における一方の仕切板のスリットと他方の仕切板のスリットとが前後方向ｆ２上で重ならないように配置する。【選択図】図２
2006122837.tif 000002
【特許請求の範囲】
【請求項１】
多数のスリットを形成された仕切板を２枚以上前後方向へ一列状に配置し、該仕切板同士の間のそれぞれにシート状フィルタエレメントを配置したフィルタ集合体を備えたオイルミスト捕集用フィルタにおいて、前記仕切板ごとに多数の前記スリットを左右方向へ単列状に配置すると共に、前記スリットのそれぞれを縦長となし、前記スリットがこれの形成された前記仕切板の長さ範囲内で形成されており、且つ、前後で隣接した前記仕切板同士における一方の仕切板のスリットと他方の仕切板のスリットとが前後方向上で重ならないように配置してあることを特徴とするオイルミスト捕集フィルタ。
【請求項２】
前記スリットがこれの形成された前記仕切板の下端で開放されることにより、前記仕切板のスリット間個所が櫛歯状になされていることを特徴とする請求項１記載のオイルミスト捕集フィルタ。
【請求項３】
複数の前記仕切板において、１枚ごとの前記仕切板における前記スリットのそれぞれの有効開口面積を総合した全通気面積が前側の前記仕切板のそれよりも後側の前記仕切板のそれの方を小さくなされており、被処理気相流動体が前記フィルタ集合体内をこれの前側から後側へ流動することを特徴とする請求項１又は２記載のオイルミスト捕集フィルタ。
【請求項４】
前記フィルタ集合体を形成した複数の前記フィルタエレメントにおいて、１枚ごとの前記フィルタエレメントの目開きが前側の前記フィルタエレメントのそれよりも後側の前記フィルタエレメントのそれの方を小さくなされており、被処理気相流動体が前記フィルタ集合体内をこれの前側から後側へ流動することを特徴とする請求項１、２又は３記載のオイルミスト捕集フィルタ。
【請求項５】
前記仕切板が金属やプラスチックのような硬質材で形成され、前記フィルタエレメントが軟弾性材で形成されていることを特徴とする請求項１、２、３又は４記載のオイルミスト捕集フィルタ。
【請求項６】
前記フィルタ集合体の前面部及び又は後面部にシート状の前記フィルタエレメントを密接させたことを特徴とする請求項１、２、３、４又は５記載のオイルミスト捕集フィルタ。
【発明の詳細な説明】
【技術分野】
【０００１】
本発明は、空気などに含まれるオイルミストを捕集することのできるオイルミスト捕集フィルタに関し、特にオイルミスト捕集効率の向上や目詰まりし難いものとなすことを特徴とする。
【背景技術】
【０００２】
多数の通気孔を形成された仕切板を２枚以上前後方向へ一列状に配置し、該仕切板同士の間のそれぞれにシート状のフィルタエレメントを配置したフィルタ集合体を備え、フィルタエレメント内でのオイルミストなどの流動経路を長くしてフィルタエレメントによる捕集効を向上させたオイルミスト捕集用フィルタは存在している（特許文献１参照）
【０００３】
また多数のスリットを形成された仕切板を２枚前後方向へ一列状に配置し気中に含まれる油などを慣性衝突により捕集するオイルミスト捕集用フィルタも存在している（特許文献２参照）。
【０００４】
【特許文献１】特開２００２−１６６１１７号公報
【特許文献２】特開平６−３３７１４２号公報
【発明の開示】
【発明が解決しようとする課題】
【０００５】
上記特許文献１に記載されたオイルミスト捕集フィルタにおいては、滴化して仕切板に付着した油粒の位置を通る垂直線上に該仕切板の通気孔が存在して該油粒の流下を妨げる現象が生じ、該現象がオイルミスト回収率を低下させるのであり、またフィルタエレメント内でのオイルミストなどの流動経路を長くしたことから、フィルタエレメントの目詰まり進行がはやくなるのである。
一方、上記特許文献２に記載されたオイルミスト捕集用フィルタにおいては、フィルタエレメントを用いない為目詰まりの問題は生じないものの、フィルタエレメントに較べてオイルミストの捕集効率が上がらないものである。
【０００６】
本発明は斯かる実情の下、オイルミストの捕集効率を向上させる事ができる且つ滴化して仕切板に付着した油粒の流下を円滑に行わせてフィルタエレメントの詰まりを防ぐ事ができるオイルミスト捕集フィルタを提供することを目的とする。
【課題を解決するための手段】
【０００７】
上記目的を達成するため本発明では、請求項１に記載したように、多数のスリットを形成された仕切板を２枚以上前後方向へ一列状に配置し、該仕切板同士の間のそれぞれにシート状フィルタエレメントを配置したフィルタ集合体を備えたオイルミスト捕集用フィルタにおいて、前記仕切板ごとに多数の前記スリットを左右方向へ単列状に配置すると共に、前記スリットのそれぞれを縦長となし、且つ、前後で隣接した前記仕切板同士における一方の仕切板のスリットと他方の仕切板のスリットとが前後方向上で重ならないように配置してあることを特徴とするものである。
【０００８】
該発明は次のように具体化するのがよい。
即ち、請求項１に記載したように、前記スリットがこれの形成された前記仕切板の上下長さの範囲内で形成されている構成となす。或いは、請求項２に記載したように、前記スリットがこれの形成された前記仕切板の下端で開放されることにより、前記仕切板のスリット間個所が櫛歯状になされている構成となす。
【０００９】
また請求項３に記載したように、複数の前記仕切板において、１枚ごとの前記仕切板における前記スリットのそれぞれの有効開口面積を総合した全通気面積が前側の前記仕切板のそれよりも後側の前記仕切板のそれの方を小さくなされており、被処理気相流動体が前記フィルタ集合体内をこれの前側から後側へ流動する構成となす。
【００１０】
また請求項４に記載したように、前記フィルタ集合体を形成した複数の前記フィルタエレメントにおいて、１枚ごとの前記フィルタエレメントの目開きが前側の前記フィルタエレメントのそれよりも後側の前記フィルタエレメントのそれの方を小さくなされており、被処理気相流動体が前記フィルタ集合体内をこれの前側から後側へ流動する構成となす。
【００１１】
また請求項５に記載したように、前記仕切板が金属やプラスチックなどの硬質材で形成され、前記フィルタエレメントが軟弾性材で形成されている構成となす。
【００１２】
また請求項６に記載したように、前記フィルタ集合体の前面部及び又は後面部にシート状の前記フィルタエレメントを密接させた構成となす。
【発明の効果】
【００１３】
本発明によれば次のような効果が得られる。
即ち、請求項１記載のものによれば、各仕切板のスリット間個所が該仕切板の上下方向の全長に亘って連続した平面個所となるため、フイルタエレメント内で滴化し仕切板に付着した油粒の位置を通る垂直線上にスリットが存在しない状態となり、各仕切板に付着した油粒がスリットに遮られることなく円滑且つ的確に流下し、仕切板やフィルタエレメントの自浄作用がスムーズに働き、油粒によるフィルタエレメントの目詰まりが抑制され、処理能力の低下を防ぐものとなる。またフィルタエレメントを単体で用いた時に比べて捕集効率が向上する分、フィルタエレメントの目開きを大きくなしても、フィルタ全体としてのオイルミスト捕集能力を同一に維持させることができるのであり、したがってフィルタエレメントの目開きを大きくなしてフィルタエレメントの自浄作用を増大させることにより、ミスト捕集能力を同一に維持させたままでフィルタエレメントの目詰まりの進行を効果的に抑制してその連続使用時間を一層長期化させることができるものである。
【００１４】
請求項２記載のものによれば、請求項１記載の発明と同一の効果を得ることができる上に次のような効果が得られるのであって、即ち、各仕切板の下部が櫛歯状であるため、各仕切板が軽量となり、また加工に際して原材料である平板を有効活用できて無駄材が減少する場合もある。
【００１５】
請求項３記載のものによれば、被処理気相流動体が各仕切板を通過するごとにその流動を高速化され、各仕切板や各フィルタエレメントによる油粒などの慣性衝突捕集能力を後側の仕切板や各フィルタエレメントほど前側のこれらよりも増大させて、仕切板や各フィルタエレメントによる油粒など捕集をフィルタ集合体の全体に分散させることができるのであり、各仕切板や各フィルタエレメントの自浄作用が増大されるものとなるため、各フィルタエレメントの目詰まりの進行を抑制して、各フィルタエレメントの連続使用時間を長期化させることができる。
【００１６】
請求項４記載のものによれば、被処理気相流動体が各フィルタエレメントを通過するごとに、各フィルタエレメントに衝突し得る被処理気相流動体中の油粒は順次に小さくなっていき、後側のフィルタエレメントほどこれによる油粒の慣性衝突捕集能力を増大されるものとなり、したがって複数のフィルタエレメントに捕集される油粒がその粒径の大きさごとにその対応するフィルタエレメントに捕集されて被処理気相流動体中の油粒などは全てのフィルタエレメントに分散されて捕集されるようになり、全体としての捕集効率が向上するほか、該分散によりフィルタエレメントの目詰まりの進行が一層抑制されフィルタエレメントの連続使用時間がさらに長期化されるものとなる。
【００１７】
請求項５記載のものによれば、仕切板が硬質材で形成されるため、仕切板の洗浄の際に仕切板にその変形を怖れることなく強い洗浄力を付与してそれに付着した油や塵埃を簡易迅速に洗い落とすことができるものとなり、また箱状の本体ケーシングなどにフィルタ集合体を収納したときに、フィルタ集合体をフィルタエレメントの弾性を利用して圧密状に収納できてガタツキなどの生じないものとなる。
【００１８】
請求項６記載のものによれば、フィルタ集合体の前面に密接されるフィルタエレメントによりフィルタ全体としてのオイルミスト捕集能力を簡易に増大させることができるのであり、またフィルタ集合体の後面に密接されたフィルタエレメントがこれを通過する被処理気相流動体の流速を低下させ該フィルタエレメントの捕集したオイルミストや塵埃などの再飛散を効果的に阻止するものとなる。
【発明を実施するための最良の形態】
【００１９】
以下に、本発明の実施の形態を図面の記載に基づいて説明する。
図１は本発明のオイルミスト捕集フィルタの組立図、図２は前記オイルミスト捕集フィルタの一部であるフィルタ集合体の組立図、図３は前記フィルタ集合体の変形例を示す図、図４は前記フィルタ集合体の作用説明図、図５は前記フィルタ集合体の使用状態を示す図である。
【００２０】
本発明に係るオイルミスト捕集フィルタは、例えばマシニングセンタの密閉状工作作業空間内の空気などの排気経路の途中などに装着される。図１に示すように、該オイルミスト捕集フィルタは、箱枠状の本体ケーシング１と、押さえ蓋２と、フィルタ集合体３とからなっている。
【００２１】
本体ケーシング１は、左右の側面板４、４、下面板５及び上面板６を連続させてなる縦向き四角枠部７を備え、該縦向き四角枠部７の背面ａ１が開放されており、左右の側面板４、４の後端縁と下面板５の後端縁とを内方側へ９０度屈曲させてなる背面縁部８ａを有し、また前面ａ２には全周囲に前面縁部８ｂを残した状態で適当数の比較的大きな四角状透孔ｂ１、ｂ２、ｂ３が形成され、四角状透孔ｂ１、ｂ２、ｂ３間に横桟ｃ１、ｃ２が形成され、さらに上面板６の後縁６ａを側面板４、４及び下面板５の後端位置よりも前記押さえ蓋２の厚さだけ前側へ寄せたものとなされている。
該本体ケーシング１の形状は任意に変形して差し支えないものであり、例えば前方視で丸形や三角形などとなすことができる。
【００２２】
押さえ蓋２は平板状の四角面体となされ、本体ケーシング１の四角枠部７と合致した大きさとなされ、本体ケーシング１の前面ａ２と同様に全周囲に縁部３ａを有する状態で適当数の比較的大きな四角状透孔ｄ１、ｄ２、ｄ３が形成されると共に四角状透孔ｄ１、ｄ２、ｄ３間に横桟ｅ１、ｅ２が形成されたものとなされ、これの使用においては、本体ケーシング１の背面ａ１の上側に縦向き姿勢に位置させ、上面板６の後端に片面を摺接させながら矢印ｆ１へ降下させ、背面縁縁部８ａの前側で左右の側面板４、４間に密状に挿入され、下端３ｂが下面板５の後端部上面に密接した状態となされて本体ケーシング１の背面の全体を覆った状態となるものである。
【００２３】
フィルタ集合体３は、図２に示すように、多数のスリットｇ１、ｇ２、ｇ３の形成された仕切板９ａ、９ｂ、９ｃ・・・を２枚以上前後方向ｆ２へ一列状に配置し、該仕切板９ａ、９ｂ、９ｃ・・・の前後で隣接したもの同士の間のそれぞれにシート状フィルタエレメント１０ａ、１０ｂ・・・を配置するもので、本例では３枚の仕切板９ａ、９ｂ、９ｃと２枚のフィルタエレメント１０ａ、１０ｂとを備えたものとなされている。
【００２４】
各仕切板９ａ、９ｂ、９ｃは鋼板などの金属材やプラスチック材などからなる方形板となされ、該方形板に多数のスリットｇ１、ｇ２、ｇ３が左右方向ｆ３の単列状に形成され、且つ、各スリットｇ１、ｇ２、ｇ３が縦長状のスリットになされると共に各スリットの縦長さが方形板の全縦長さより短くなされたものである。そして、各仕切板９ａ、９ｂ、９ｃ間のスリットｇ１、ｇ２、ｇ３の配置は次のようになされるのであって、即ち、前後で隣接した仕切板９ａと９ｂ、又は、９ｂと９ｃ同士における前側の仕切板９ａ、９ｂのスリットｇ１、ｇ２と、後側の仕切板９ｂ、９ｃのスリットｇ２、ｇ３とが前後方向ｆ２上で重ならないようなものとなされる。そして図示例では１枚の仕切板９ａ、９ｂ、９ｃごとの各スリットｇ１、ｇ２、ｇ３は同一形状且つ同一大きさであり、且つ特定の一定ピッチで左右方向ｆ３へ配置されている。
【００２５】
この際、各スリットｇ１、ｇ２、ｇ３の大きさは、これを通過する被処理気相流動体の流速がオイルミスト除去にとって最適となるように設定される。図示例では各スリットｇ１、ｇ２、ｇ３は何れも同一大きさとなしたが、好ましくは、３枚の仕切板９ａ、９ｂ、９ｃについて、１枚ごとの仕切板９ａ、９ｂ、９ｃにおける各スリットｇ１、ｇ２、ｇ３の有効開口面積を総合した全通気面積は仕切板９ａ、９ｂ、９ｃのうち前側のものから各仕切板９ａ、９ｂ、９ｃごとに順に小さくなすのがよい。
【００２６】
各フィルタエレメント１０ａ、１０ｂはスポンジ状の濾材とか、合成樹脂材などの繊維をランダムに絡ませた不織布などの濾材で形成された撓曲自在な方形板となされている。そして前後の２枚の各フィルタエレメント１０ａ、１０ｂのそれぞれは種類の異なるものとなすことも差し支えないのであり、具体的には、例えば前側のフィルタエレメント１０ａの目開きの大きさを後側のフィルタエレメント１０ｂのそれよりも大きくなしたり、或いは、前側のフィルタエレメント１０ａを親油性のものとして後側のフィルタエレメント１０ｂを撥油性のものになすなどである。
【００２７】
上記したフィルタ集合体は次のように変形してもよいのであって、即ち、図３に示すように、仕切板９ａ、９ｂ、９ｃごとの各スリットｇ１、ｇ２、ｇ３をこれの形成された仕切板９ａ、９ｂ、９ｃの下端縁で開放させることにより、仕切板９ａ、９ｂ、９ｃのスリットｇ１、ｇ２、ｇ３間個所ｈ１、ｈ２、ｈ３を櫛歯状となし、その他の個所は先のものと同一となす。
【００２８】
次に上記実施例に係るオイルミスト捕集フィルタの使用例及び作動について説明する。
例えばマシニングセンタの密閉状工作作業空間内の被処理気相流動体の排気経路の途中に本体ケーシング１を密状且つ脱着可能に装着すると共に、該排気経路の出口側に吸引排気ファンを設け、該ファンの作動により密閉状工作作業空間内の被処理気相流動体が排気経路内をこれの出口側へ向け流動する排気系を形成する。
この際、本体ケーシング１は前記排気経路内の被処理気相流動体の流動方向の上流側に前面ａ２が位置され、下流側に背面ａ１が位置された状態となされる。
【００２９】
前記密閉状工作作業空間内の被処理気相流動体は空気にオイルミストの混入したものとなっており、前記排気経路内での流動過程で、本体ケーシング１の縦向き四角枠部７の前面ａ２の四角状透孔ｂ１、ｂ２、ｂ３を通過して先ずフィルタ集合体３の前位置の仕切板９ａのスリットｇ１に到達するのであり、該スリットｇ１のそれぞれはこれに到達した被処理気相流動体を絞り作用により加速して図４に示すように前位置のフィルタエレメント１０ａ内に流入させる。このように流入された被処理気相流動体は中間位置の仕切板９ｂのスリットｇ２が前位置の仕切板９ａのスリットｇ１に対し前後方向ｆ２で重ならないように配置されているため、前位置のフィルタエレメント１０ａ中を経て中間位置の仕切板９ｂのスリットｇ２に到達する。
【００３０】
このような前側のフィルタエレメント１０ａ内での被処理気相流動体の流動過程では、該被処理気相流動体に含まれるオイルミストの微少油粒が高速化されて該フィルタエレメント１０ａの濾材に衝突し付着することにより有効に除去されるのであり、また付着した微少油粒は後続して付着する微少油粒と一緒になって漸次に成長し滴化し濾材中を後側へ押しやられ、やがて図５に示すように中間位置の仕切板９ｂのスリット間個所ｈ２の前面や左右端部前面に付着し、ここでの付着物ｊが蓄積されて多くなると重い油滴となり、該油滴は重力作用により中間位置の仕切板９ｂのスリット間個所ｈ２の前面を伝って流れ落ちる。
【００３１】
また前位置のフィルタエレメント１０ａ内を通過した被処理気相流動体は中間位置の仕切板９ｂのスリットｇ２に到達するのであり、図示例のスリットｇ２のそれぞれはこれに到達した被処理気相流動体を前位置のフィルタエレメント１０ａ内での速度と略同じ速度で後位置のフィルタエレメント１０ｂ内に流入させる。このように流入された被処理気相流動体は後位置の仕切板９ｃのスリットｇ３が中間位置の仕切板９ｂのスリットｇ２に対し前後方向ｆ２で重ならないように配置されているため、後位置のフィルタエレメント１０ｂ中を、前位置のフィルタエレメント１０ａ内の場合に準じて後位置の仕切板９ｃのスリットｇ３に到達する。
【００３２】
そして後位置のフィルタエレメント１０ｂ内での被処理気相流動体の流動過程において前位置のフィルタエレメント１０ａ内の場合に準じた作用が得られるのであって、即ち、被処理気相流動体に含まれるオイルミストの微少油粒が該フィルタエレメント１０ｂの濾材に高速で衝突し付着することにより効果的に除去されていき、また付着した微少油粒は後続して付着する微少油粒と一緒になって漸次に成長し滴化し濾材中を後側へ押しやられ、やがて後位置の仕切板９ｃのスリット間個所ｈ３の前面に付着し、ここでの付着量が多くなると重い油滴となり、該油滴は重力作用により後位置の仕切板９ｃのスリット間個所ｈ３の前面を伝って流れ落ちる。
【００３３】
こうして後位置の仕切板９ｃのスリットｇ３に達した被処理気相流動体はオイルミストを効果的に除去された状態となって、該仕切板９ｃのスリットｇ３を通じてフィルタ集合体３の背後側へ流出し、さらに、押さえ蓋２の四角状透孔ｄ１、ｄ２、ｄ３を通じて前記排気経路の下流へ向け流出する。
また前位置の仕切板９ａの前面などにも油粒が付着すると、これが成長し油滴となってスリット間個所ｈ１の前面を伝って流れ落ちるようになるのであり、このようにして前位置の仕切板９ａ、中間位置の仕切板９ｂ及び後位置の仕切板９ｃのスリット間個所ｈ１、ｈ２、ｈ３を伝って流れ落ちた油滴は四角枠部７の下面部５上に集まり、ここから図示しない管路を経て前記排気経路の外方へ流出される。
【００３４】
上記フィルタ集合体３の複数の仕切板９ａ、９ｂ、９ｃにおいて、１枚ごとの仕切板９ａ、９ｂ、９ｃにおけるスリットｇ１、ｇ２、ｇ３の有効開口面積を総合した全通気面積が前位置の仕切板９ａから順に小さくなされていると、被処理気相流動体は各仕切板９ａ、９ｂ、９ｃを通過するごとにその流動を高速化され、各仕切板９ａ、９ｂ、９ｃや各フィルタエレメント１０ａ、１０ｂは後側のものほどこれによる油粒の慣性衝突捕集能力を増大される。
【００３５】
またフィルタ集合体３の複数のフィルタエレメント１０ａ、１０ｂにおいて、前側のフィルタエレメント１０ａから順に、その目開きが小さくなされていると、被処理気相流動体は各フィルタエレメント１０ａ、１０ｂを通過するごとにさらに微細な油粒と衝突し易くなり、各フィルタエレメント１０ａ、１０ｂは後側のものほどこれによる油粒の慣性衝突捕集能力を増大されるのであり、したがって複数のフィルタエレメント１０ａ、１０ｂに捕集される油粒がその粒径の大きさごとにその対応する各フィルタエレメント１０ａ、１０ｂに分散して捕集されるようになり、これによりフィルタエレメント１０ａ、１０ｂの目詰まり進行が抑制されてその自浄作用とその連続使用時間が長期化される。
【００３６】
上記オイルミスト捕集フィルタの使用中、フィルタ集合体３中の被処理気相流動体の流動に伴う圧力降下が大きくなったときは、前記排気経路内から、オイルミスト捕集フィルタを取り出し、その後、押さえ蓋２を本体ケーシング１に対し図１中の矢印方向ｆ１の逆向きへ引き上げるようにして本体ケーシング１から抜き外すのであり、この後、フィルタ集合体３を本体ケーシング１の背面ａ１の開口から取り出し、その仕切板９ａ、９ｂ、９ｃやフィルタエレメント１０ａ、１０ｂを洗浄液に浸すなどして洗浄する。この際、各仕切板９ａ、９ｂ、９ｃが金属やプラスチックのような硬質材で形成されているため、強く付着した油や塵埃であっても強い洗浄力を付与して簡易迅速に洗い落とすことができるのである。
【００３７】
上記実施例は次のように変形することもできるのであり、即ち、フィルタ集合体３の前位置の仕切板９ａの前面又は後位置の仕切板９ｃの後面の何れか、或いはこれら前面及び後面の双方に別のシート状のフィルタエレメントを密接させる。
【００３８】
前位置の仕切板９ａの前面のほぼ全体に密接されたフィルタエレメントは被処理気相流動体が前位置の仕切板９ａに到達する前に比較的大きな油粒を濾過捕集及び慣性衝突捕集するものとなって、フィルタ全体としての油粒の捕集能力を増大させる上で寄与すると共に前位置の仕切板９ａと本体ケーシング１とが金属製であるときにこれらの金属接触によるガタツキ音を阻止する上で寄与するものである。
【００３９】
また後位置の仕切板９ｃの後面のほぼ全体に密接されたフィルタエレメントは後位置の仕切板９ｃのスリットｇ３から流出する油粒を濾過捕集及び慣性衝突捕集するものとなって、フィルタ全体としての油粒の捕集能力を増大させると共に、後位置の仕切板９ｃと押さえ蓋２とが金属製であるときにこれらの金属接触によるガタツキ音を阻止する上で寄与するほか、後位置の仕切板９ｃのスリットｇ３から高速で流出する被処理気相流動体を該フィルタエレメントを形成した濾材との衝突により抑制しつつ該フィルタエレメントの全面に分散させて低速化させ、該フィルタエレメントから分離して流出する油粒や塵埃の飛散を減少させる上で寄与する。
【図面の簡単な説明】
【００４０】
【図１】本発明のオイルミスト捕集フィルタの組立図である。
【図２】前記オイルミスト捕集フィルタの一部であるフィルタ集合体の組立図である。
【図３】前記フィルタ集合体の変形例を示す図である。
【図４】前記フィルタ集合体の作用説明図である。
【図５】前記フィルタ集合体の使用状態を示す図である。
【符号の説明】
【００４１】
３  フィルタ集合体
９ａ  仕切板
９ｂ  仕切板
９ｃ  仕切板
１０ａ  フィルタエレメント
１０ｂ  フィルタエレメント
ｆ２  前後方向
ｇ１  スリット
ｇ２  スリット
ｇ３  スリット
【図１】
2006122837.tif 000003
【図２】
2006122837.tif 000004
【図３】
2006122837.tif 000005
【図４】
2006122837.tif 000006
【図５】
2006122837.tif 000007